(57)【要約】【課題】  鍵の演奏側先端にかかる静荷重を容易に調整できるピアノの打弦装置を提供する。【解決手段】  鍵３の演奏側とは反対側上部において鍵３の長さ方向に沿って鍵３毎に配置されると共に、一端がピアノ本体に上下方向に揺動自在に固定され、上下方向に変位可能な開放端側が、自重で鍵３の上面に接触して鍵３に荷重をかけるように構成された長尺状のウェイトレバー２１と、ウェイトレバー２１の上部で複数のウェイトレバー２１を跨ぐようにピアノ本体に固定され、その複数のウェイトレバー２１の上方向へ揺動を規制し、下面が演奏側と反対側方向に進むに連れて上方に反った形状を有するウェイトレバー振れ防止レール９３と、ウェイトレバー２１を鍵の長さ方向に移動させる移動手段と、を備えるようにピアノの打弦装置を構成する。【選択図】  図６   
2005037894.tif 000002
【特許請求の範囲】
【請求項１】
ピアノの鍵の演奏側とは反対側上部において鍵の長さ方向に沿って鍵毎に配置されると共に、一端がピアノ本体に上下方向に揺動自在に固定され、上下方向に変位可能な開放端側が自重で鍵の上面に接触して鍵に荷重をかけるように構成された長尺状のウェイトレバーと、
前記ウェイトレバーの上部で複数のウェイトレバーを跨ぐようにピアノ本体に固定され、該複数のウェイトレバーの上方向への揺動を規制し、下面が演奏側と反対側方向に進むに連れて上方に反った形状を有するウェイトレバー振れ防止レールと、
前記ウェイトレバーを鍵の長さ方向に移動させる移動手段と、
を備えることを特徴とするピアノの打弦装置。
【請求項２】
更に、鍵の上面であり、前記ウェイトレバーが前記移動手段によって移動させられた場合の何れの位置においても前記ウェイトレバーの荷重を支持することができる位置に、レバー受けスクリューが設置されていることを特徴とする請求項１に記載のピアノの打弦装置。
【請求項３】
前記ウェイトレバー振れ防止レールの下面には、防音材が貼附されていることを特徴とする請求項１又は請求項２に記載のピアノの打弦装置。
【発明の詳細な説明】
【技術分野】
【０００１】
本発明は、鍵を操作するとき鍵の演奏側先端にかかる静荷重を調整することができるピアノの打弦装置に関する。
【背景技術】
【０００２】
図９は、鍵１１０、伝達部１２０及びハンマー部１３０からなるピアノの打弦装置１００を表す側面図である。従来は、図９に示すように、鍵１１０押下時の鍵１１０の演奏側先端１１１に掛かる静荷重を調整するため、鍵１１０の演奏側先端１１１の側面１１２に孔を設け、その孔に錘となる鉛１１５を埋設していた。そして、音のイメージに合わせ、低音側から高音側に向かって徐々に鍵１１０の静荷重が軽くなるように、鉛１１５の重さを調整していた。
【０００３】
この静荷重は、ピアノの演奏者に鍵１１０のタッチ感として感じられ、この調整如何でピアノの良否が決定される重要なパラメータの一つであり、演奏者の技量や好みに応じて慎重に調整されるべきものである。
【０００４】
通常、低音側の弦は高音側の弦に比べて太いため、低音側の弦を叩くハンマー１３１は、高音側のハンマー１３１よりも大きくて重いものが用いられる。そのため、静荷重は鉛１１５を取り付けない状態でも低音側が重いが、その状態のままでは叩く弦の本数の違う鍵１１０が隣り合う部分などでは、他の部分に比べて隣り合う鍵１１０間の静荷重の差が特に大きいといった問題がある。
【０００５】
静荷重の調整は、これらの様々な要因を考慮して、静荷重が高音側から低音側に向かって適正な範囲内で自然に増えるよう、鉛１１５の重さを選定して各鍵１１０に鉛１１５を作製し、各鉛１１５を各鍵１１０に取り付けることによって行われる（例えば、特許文献１参照）。
【特許文献１】実公昭５３−２３２１９号公報
【発明の開示】
【発明が解決しようとする課題】
【０００６】
しかし、ピアノが組立てられた後、鍵の演奏側先端にかかる静荷重を調整するには、鉛１１５又は、鉛１１５と鍵１１０の両方を交換する必要があり、そのためには、打弦装置１００を分解する作業が必要であった。したがって、ピアノの組立後に演奏者の上達に応じて静荷重を調整することは容易ではなかった。
【０００７】
本発明は、こうした問題に鑑みなされたものであり、鍵の演奏側先端にかかる静荷重を容易に調整できるピアノの打弦装置を提供することを目的とする。
【課題を解決するための手段】
【０００８】
上記課題を解決するためになされた請求項１に記載のピアノの打弦装置は、ピアノの鍵の演奏側とは反対側上部において鍵の長さ方向に沿って鍵毎に配置されると共に、一端がピアノ本体に上下方向に揺動自在に固定され、上下方向に変位可能な開放端側が自重で鍵の上面に接触して鍵に荷重をかけるように構成された長尺状のウェイトレバーと、ウェイトレバーの上部で複数のウェイトレバーを跨ぐようにピアノ本体に固定され、その複数のウェイトレバーの上方向への揺動を規制し、下面が演奏側と反対側方向に進むに連れて上方に反った形状を有するウェイトレバー振れ防止レールと、ウェイトレバーを鍵の長さ方向に移動させる移動手段と、を備えることを特徴とする。
【０００９】
このようなピアノの打弦装置によれば、移動手段が操作されてウェイトレバーが鍵の長さ方向に移動することにより、鍵の支点（筬中）からウェイトレバーによる荷重がかかる鍵の部位までの距離が変化する。したがって、移動手段を操作することにって鍵の演奏側先端にかかる静荷重を変更することができる。
【００１０】
また、移動手段が操作されることによってウェイトレバーの上側の揺動範囲（つまり回転限度角）が変化する。なぜなら、ウェイトレバー振れ防止レールの下面が演奏側と反対側方向に進むに連れて上方に反った形状を有しているからである。このためウェイトレバーを演奏側と反対側方向に移動させることによりウェイトレバーの上側の揺動範囲を大きくすることができ、逆に、ウェイトレバーを演奏側方向に移動させることによりウェイトレバーの上側の揺動範囲を小さくすることができる。この結果、演奏者の押鍵動作により上方向への回転をはじめたウェイトレバーが再び鍵に荷重をかけるまでの時間を変更することができる。つまり、押鍵した後に演奏者が感じるタッチ感も変更することができる。
【００１１】
また、請求項２に記載のように、更に、鍵の上面であり、ウェイトレバーが移動手段によって移動させられた場合の何れの位置においてもウェイトレバーの荷重を支持することができる位置に、レバー受けスクリューが設置されているように構成してもよい。なお、このレバー受けスクリューの形状は一般的なスクリューと同様の形状を有したものである。
【００１２】
このようなピアノの打弦装置によれば、移動手段が操作されてウェイトレバーが鍵の長さ方向に移動しても、鍵の支点（筬中）からウェイトレバーによる荷重がかかる鍵の部位までの距離は変化しなくなるが、ウェイトレバーの揺動支点から、ウェイトレバーとレバー受けスクリューとの接触点までの距離が変化する。したがって、このようなピアノの打弦装置であっても、移動手段を操作することにって鍵の演奏側先端にかかる静荷重を変更することができる。
【００１３】
ところで、演奏者の押鍵動作にしたがってウェイトレバーが上方向へ回転を始めるとウェイトレバーは運動エネルギーを有することになる。そして、ウェイトレバーがウェイトレバー振れ防止レールに当たると、この運動エネルギーが衝撃や音や熱等に変換される。したがって、ピアノのという弦がハンマーによって叩かれた際の音を楽しむ楽器においては、ウェイトレバーがウェイトレバー振れ防止レールに当たる際の音の発生をできるだけ抑えたい。このためには、請求項３に記載のように、ウェイトレバー振れ防止レールの下面に防音材を貼附するとよい。
【００１４】
このようになっていれば、ウェイトレバーがウェイトレバー振れ防止レールに当たる際に発生する音をできるだけ抑えることができる。
【発明を実施するための最良の形態】
【００１５】
以下に、本発明の好適な実施形態を図面に基づいて説明する。
［第１参考形態］
図１はアップライトピアノの打弦装置１を表す側面図である。図１に示すように、打弦装置１は、主に、鍵３、伝達部５（一部図示）及びハンマー部（図示せず）からなり、演奏者の押鍵動作による鍵３の動きを、ハンマー部が弦（図示せず）を打弦する打弦運動に変える働きをする。
【００１６】
このうち、鍵３は、ピアノ１台あたり８８鍵設置され、筬中７を支点に揺動できるように設置される。この鍵３は押鍵されると鍵３の演奏者側の反対側が上昇して、その押鍵動作を伝達部５に伝達する。具体的には押鍵動作は、鍵３の演奏者側と反対側先端に設けられたキャプスタンワイヤー９の先のキャプスタンボタン１１を介して伝達部５に伝達され、そして更にハンマー部に伝達される。以下、鍵３の演奏者側（図１左側）を手前側、その反対側（図１右側）を奥側と言う。
【００１７】
鍵３の奥側の上部には、複数の鍵３を跨ぐように長尺状のストッパーレール１３が設けられており、両端をブラケット１５（図示せず）によってピアノ本体に固定されている。そして、ストッパーレール１３の奥側には、鍵３毎に上下方向に長いフレンジ１７が上部をネジ止めされて固定されている。更に、そのフレンジ１７の下部に設けられた回転軸１９にウェイトレバー２１が回転自在に取り付けられている。尚、ウェイトレバー２１は、鍵３と平行に、回転軸１９が奥側になり手前側が揺動するように取り付けられている。
【００１８】
ウェイトレバー２１の上面には、ウェイトレバー２１がストッパーレール１３と接触した際に発生する音を軽減させるためのフェルト２３が設けられている。一方、ウェイトレバー２１の下面の手前側には鍵３に接触する接触部２５が設けられている。また、接触部２５が接触する鍵３の上面にも、接触時の音を軽減するためのフェルト２７が設けられている。また、ウェイトレバー２１の側面にはウェイトレバー２１の重量を調整するために鉛からなる錘２９が埋め込まれている。
【００１９】
ウェイトレバー２１の奥側の下には、複数のウェイトレバー２１を持ち上げるための、内部が空洞になった長尺状のリフティングレール３１が設けられている。
図２は、リフティングレール３１の近傍を示す斜視図である。図２に示すように、リフティングレール３１は、鍵３の配列方向と同方向に設けられたリフティングレバー３２によって両端及び中間数カ所を固定されている。尚、リフティングレバー３２は、ウェイトレバー２１と同様にストッパーレール１３にフレンジ１７を介して揺動可能に固定されている。リフティングレール３１の上面には、ウェイトレバー２１と接触する時の衝撃を和らげるために、フェルト３３が設けられている。また、リフティングレール３１の一端下部には、棚板３４を貫通して下方から上方に延びる突揚棒３５が設けられている。
【００２０】
突揚棒３５の上端にはリフティングレール３１と接触した時の衝撃を和らげるため、ゴムキャップ３７が取り付けられ、その中心部にはさらに突出する形で金属製のピン３９が設けられている。一方、リフティングレール３１側には、そのピン３９をガイドするための孔（図示せず）が設けられている。
【００２１】
図１に戻り、突揚棒３５の下端には、Ｌ字状の形状をし、一端側で突揚棒３５を支持できるようになったＬ字金具４１が設けられ、Ｌ字金具４１はその角部を軸に回転できるようになっている。Ｌ字金具４１の他端には、ワイヤー（図示せず）が取り付けられ、ワイヤーの先にはハンドル（図示せず）が設けられていて、このハンドルは手前側に引いたり、奥側に戻したりすることができ、固定装置（図示せず）によってそれぞれの状態で固定することができるようになっている。尚、突揚棒３５、Ｌ字金具４１、ワイヤー及びハンドルが、特許請求の範囲に記載の接続部材に相当する。
【００２２】
このように構成された打弦装置１は、次のように動作する。
演奏者によって鍵３が押鍵されると、鍵３の奥側が上昇し、先端に設けられたキャプスタンワイヤー９と共にその先のキャプスタンボタン１１が上昇して、鍵３の運動が伝達部５に伝達される。それと共に、鍵３が、ウェイトレバー２１の接触部２５を介して、ウェイトレバー２１を上方に持ち上げる。この結果、ウェイトレバー２１は、回転軸１９を軸にして矢印Ａの方向に回転し、ストッパーレール１３に当たるまで回転運動をする。そして、ウェイトレバー２１はストッパーレール１３に当たると一旦回転運動を止め、その後、ウェイトレバー２１は重力に引かれて矢印Ａの方向とは逆方向に、回転軸１９を軸にして接触部２５が鍵３に接触するまで回転運動をする。
【００２３】
また、前述の図示しないハンドルを手前側に引くことにより、Ｌ字金具４１が矢印Ｂの方向に回転して突揚棒３５を上方に押し上げ、リフティングレール３１が上方に移動してウェイトレバー２１を持ち上げる。その結果、鍵３を押しても鍵３がウェイトレバー２１の接触部２５に接触しなくなる。
【００２４】
逆に、ハンドルを奥側に戻すことにより、Ｌ字金具４１が矢印Ｂの方向とは逆方向に回転して突揚棒３５を下方に下げ、リフティングレール３１とウェイトレバー２１が下方に下がる。その結果、ウェイトレバー２１が鍵３に接触することになり、鍵３に荷重がかかる。以下、この状態のリフティングレール３１の位置を通常位置と言う。
【００２５】
このように構成された打弦装置１においては、ウェイトレバー２１は、打弦装置１全体を分解することなく、それ単体、又はフレンジ１７と共に容易に交換することができ、鍵３にかかる静荷重を調整することができる。また、押鍵開始時はウェイトレバー２１によって鍵３に荷重がかかっているが、鍵３を押しきって鍵３の運動が一旦停止すると、ウェイトレバー２１は鍵３から離れてストッパーレール１３に当たるまで単独で運動する。したがって、ウェイトレバー２１の運動は、グランドピアノのハンマー部の運動に似ており、グランドピアノに近いタッチ感が得られる。
【００２６】
また、前述の図示しないハンドルを引き、通常位置にあるリフティングレール３１をウェイトレバー２１が鍵３に対して接触しない退避位置まで上昇させると、鍵３にウェイトレバー２１による荷重がかからない状態が作れ、反対に、待避位置にあるリフティングレール３１をウェイトレバー２１が鍵３に接触する通常位置まで下降させると、鍵３にウェイトレバー２１による荷重がかかる状態を作ることができる。すなわち、ウェイトレバーを交換することなく、鍵３にかかる静荷重を２段階に切り替えることができるピアノを提供できる。そして、リフティングレール３１を上下させる切り替え操作は、ピアノの外部に設けられたハンドルを操作することにより行えるため、ピアノの外板をはずす必要がなく、外部から鍵３にかかる静荷重の切り替え操作ができて使い勝手が良い。
【００２７】
［第２参考形態］
次に第２参考形態について説明する。以下、第１参考形態との相違点を中心に説明する。
【００２８】
図３は、グランドピアノの打弦装置５１を表す側面図である。図１と同一部分については、同一符号を付すことにより説明を省く。
図３に示すように、打弦装置５１は、主に、鍵３、伝達部５（一部図示）及びハンマー部（図示せず）からなり、演奏者の押鍵動作による鍵３の動きを、ハンマー部が弦（図示せず）を打弦する打弦運動に変える働きをする。
【００２９】
このうち、鍵３は、ピアノ１台あたり８８鍵設置され、筬中７を支点に揺動できるように設置される。この鍵３は手前側（図３右側）を押鍵すると鍵３の奥側（図３左側）が上昇して、その押鍵動作を伝達部５に伝達する。具体的には、押鍵動作は、鍵３の奥側に設けられたキャプスタンスクリュー４７を介して伝達部５に伝達され、伝達部５を介してハンマー部に伝達される。
【００３０】
ストッパーレール１３は、筬中７の上方に位置するようピアノ本体に固定される。そして、ストッパーレール１３の手前側にフレンジ１７が取り付けられ、そのフレンジ１７の回転軸１９にウェイトレバー２１が揺動可動に取り付けられる。つまり、ウェイトレバー２１は、奥側が揺動するように取り付けられる。
【００３１】
ウェイトレバー２１の奥側の下部には、さらに奥側に延びる延長ロッド４３と、その先端にローラ４５が設けられ、鍵３の上面を転がるようになっている。そしてそのローラ４５が接する鍵３の上面には、ローラ４５と鍵３とが接触した時に音を出にくくするためのフェルト４９が設けられている。
【００３２】
リフティングレール３１は第１参考形態と異なり、ウェイトレバー２１の手前側の下部に設けられる。また、突揚棒３５とＬ字金具４１が設けられ、Ｌ字金具４１の突揚棒３５とは反対側一端には、図示しないワイヤーが取り付けられる。そして、そのワイヤーの先には図示しないハンドルが設けられている。
【００３３】
このように構成された打弦装置５１は、次のように動作する。
演奏者によって鍵３が押鍵されると、鍵３の奥側が上昇し、キャプスタンスクリュー４７を介して、鍵３の運動が伝達部５に伝達される。それと共に、鍵３がローラ４５と延長ロッド４３を介して、ウェイトレバー２１を上方に持ち上げる。この結果、ウェイトレバー２１は、回転軸１９を軸にして矢印Ｃの方向に回転し、ストッパーレール１３に当たるまで回転運動をする。そして、ウェイトレバー２１はストッパーレール１３に当たると一旦回転運動を止め、その後、重力に引かれて矢印Ｃの方向とは逆方向に、回転軸１９を軸にしてローラ４５が鍵３に接触するまで回転運動をする。
【００３４】
また、前述の図示しないハンドルを手前側に引くことにより、Ｌ字金具４１が
矢印Ｄの方向に回転して突揚棒３５を上方に押し上げ、リフティングレール３１が上方に移動してウェイトレバー２１を持ち上げる。その結果、鍵３を押しても鍵３がローラ４５に接触しなくなる。
【００３５】
逆に、ハンドルを奥側に戻すことにより、Ｌ字金具４１が矢印Ｄの方向とは逆方向に回転して突揚棒３５を下方に下げ、リフティングレール３１とウェイトレバー２１が下方に下がる。その結果、ローラ４５が鍵３に接触してウェイトレバー２１の荷重が鍵３にかかるようになる。
【００３６】
このように構成された打弦装置５１においても、第１参考形態と同様の作用及び効果が得られ、ウェイトレバー２１の奥側下部には、奥側に延びる延長ロッド４３が設けられているので、ウェイトレバー２１が鍵の支点（筬中）に近い場合でも、効果的に鍵３に荷重をかけることができる。更に、延長ロッド４３の先端部分、すなわち、鍵３と接触する部位にはローラ４５が設けられているので、ウェイトレバー２１の回転軸１９と、鍵３の回転中心（すなわち筬中７）とをどのような位置関係に配置しても、鍵３がスムーズに動作し、良好なタッチ感を得ることができる。
【００３７】
［第３参考形態］
次に第３参考形態について説明する。以下、第１参考形態との相違点を中心に説明する。
【００３８】
図４は、アップライトピアノの打弦装置７１を表す側面図である。図１と同一部分については、同一符号を付すことにより説明を省く。図４に示すように、打弦装置７１のウェイトレバー２１は、第１参考形態の打弦装置１のウェイトレバー２１（図１参照）とは設置方向が異なる。打弦装置７１のウェイトレバー２１は、奥側（図４の左側）に延出して配置され、回転軸１９を軸にして揺動するようになっている。そして、その配置に合わせてストッパーレール１３等も設置されている。尚、第１参考形態の打弦装置１のウェイトレバー２１の下面には接触部２５（図１参照）が設けられていたが、本第３参考形態のウェイトレバー２１には、接触音を軽減するためのフェルト８９が下面に設けられている。尚、フェルト８９の代わりにクロスやゴムであってもよい。そして、ウェイトレバー２１は、その直下の鍵３の上面に設けられたレバー受けスクリュー８５によって支持されるようになっている。このレバー受けスクリュー８５は、鍵３に対してねじ込んだりゆるめたりすることによって高さを調整することができるようになっている。また、レバー受けスクリュー８５のウェイトレバー２１との接触部は丸みをおびた形状となっている。尚、本第３参考形態では、ウェイトレバー２１にフェルト８９が設けられていたが、レバー受けスクリュー８５のウェイトレバー２１との接触部に接触音防止のためのフェルトを設けるようにしてもよい。
【００３９】
ストッパーレール１３は、板状のレール支持部材７３によって両端及び中間部分（ブレイク部分）が支持されている。そして、レール支持部材７３はそれぞれスライドレール７５の上レール７５ａに固定されている。このように複数存在するスライドレール７５は各々が類似の形状を有しているため、以下はその１つについて説明する。
【００４０】
スライドレール７５は、棚板３４の上に鍵３に平行に、上述したレール支持部材７３の下に設置されている。スライドレール７５は、上レール７５ａと下レール７５ｂとによって構成され、そのうち下レール７５ｂの方はピアノ本体に固定されている。また、下レール７５ｂと上レール７５ａの間には両者の摩擦を低減されるためのベアリング（図示せず）が設けられており、上レール７５ａは下レール７５ｂの上を、奥側と手前側（図４の右側）との間を自在にスライドできるようになっている。そして、上レール７５ａのスライドに伴って上レール７５ａに固定されているレール支持部材７３も奥側と手前側との間を移動し、この移動に伴ってストッパーレール１３及びストッパーレール１３に取り付けられているフレンジ１７及びウェイトレバー２１等も移動する。また、複数存在するスライドレール７５のうちの最も外側に設置されたスライドレール７５の上レール７５ａの手前側先端にはフレンジ７７が設けられており、フレンジ７７に設けられたアームピン７９が、後述するアーム８１から与えられる上レール７５ａのスライド方向以外の力を逃がし、アーム８１と上レール７５ａとを連動させる役目を担っている。
【００４１】
アーム８１は、複数存在するスライドレール７５のうちの最も外側に設置されたスライドレール７５の上レール７５ａにのみ取り付けられている。すなわち、アーム８１は２本存在する。アーム８１のそれぞれの一端は、棚板３４の下面に設けられた取り付け部８３において連結シャフト８７を中心にして回転可能に取り付けられている。その結果、２本のアーム８１は連結シャフト８７を介して連動する。一方、アーム８１の他端は棚板３４の下部から棚板３４を突き抜けて鍵３まで延びている。尚、２本のアーム８１のうち一方は、更にケース部材を貫通してピアノの外側にまで突出しており、演奏者がピアノを開けることなくアーム８１を操作できるようになっている。
【００４２】
このように構成された打弦装置７１は、次のように動作する。
演奏者がアーム８１を矢印Ｅの方向に回転させると、上レール７５ａが奥側にスライドし、そのスライドに伴ってレール支持部材７３、ストッパーレール１３、フレンジ１７及びウェイトレバー２１が奥側（矢印Ｆに示す方向）に移動する。また、演奏者がアーム８１を矢印Ｅと逆方向に回転させると、上レール７５ａが手前側にスライドし、そのスライドに伴ってレール支持部材７３、ストッパーレール１３、フレンジ１７及びウェイトレバー２１が手前側（矢印Ｆに示す方向と反対方向）に移動する。
【００４３】
このように、演奏者がアーム８１を操作することによってウェイトレバー２１等の位置を変更させることができ、それに伴ってウェイトレバー２１の作用点が移動する。その結果、鍵３にかかる静荷重を連続的に調整することができる。
【００４４】
また、２本のアーム８１は連動するよう構成されているため、そのうち一方をピアノの外側から操作するだけで全てのウェイトレバー２１を均一に移動させることが可能である。
【００４５】
次に、鍵３を上方から見た図を用いてウェイトレバー２１とレバー受けスクリュー８５との関係を説明する。図５は低音側の鍵３、ウェイトレバー２１及びレバー受けスクリュー８５を一組だけ抜き出したものを上方から見た図であり、図５（ａ）はウェイトレバー２１が手前側にある場合、図５（ｂ）はウェイトレバー２１が奥側にある場合を示した図である。鍵３は、低音側の鍵３であるため、中間部３ｂで屈折している。尚、図示しないが、高音側の鍵３は、図５とは逆側に屈折している。
【００４６】
図５からわかるように、ウェイトレバー２１を鍵３の演奏部分３ａと平行に移動させても、レバー受けスクリュー８５によってウェイトレバー２１を支持することができる。これが、第１参考形態の打弦装置１のように、ウェイトレバー２１の揺動側先端に接触部２５が設けられていると、ウェイトレバー２１を鍵３の演奏側と平行に移動させた際に、接触部２５が鍵３の上面から外れてしまう可能性がある。
【００４７】
したがって、本第３参考形態のようにレバー受けスクリュー８５を鍵３に設けることによって、ウェイトレバー２１を鍵３の演奏部分３ａと平行に移動させてもよく、鍵３の奥側部分３ｃと平行に移動させなくてもよい。そのため、低音側の鍵３と高音側の鍵３とでウェイトレバー２１の移動方向を変えるといった複雑な仕組みを用意する必用がない。
【００４８】
また、本第３参考形態のウェイトレバー２１は、第１参考形態のウェイトレバー２１とは設置方向、すなわち揺動する側が逆である。この結果、第１参考形態の打弦装置１と比較して本第３参考形態の打弦装置７１は、鍵３が押下されたときにウェイトレバー２１と鍵３との間に生じる摩擦力が大きい。以下、その理由を説明する。
【００４９】
図１に示すように、押鍵された際、第１参考形態のウェイトレバー２１の接触部２５は円弧イに沿った動きをし、接触部２５に接触する鍵３の部位は円弧ロに沿った動きをする。このように円弧イと円弧ロとはほぼ正接状態であるため両円弧の接点付近では、接触部２５とその接触部２５に接触する鍵３の部位は、運動軌跡にあまり差がない。
【００５０】
一方、本第３参考形態では、図４に示すように、レバー受けスクリュー８５は円弧ニに沿った動きをし、レバー受けスクリュー８５に接触するウェイトレバー２１の部位は円弧ハに沿った動きをする。このため、両円弧の交点付近であっても、レバー受けスクリュー８５とそのレバー受けスクリュー８５に接触するウェイトレバー２１の部位は、運動軌跡が大きく異なる。
【００５１】
したがって、第１参考形態の打弦装置１に比べて本第３参考形態の打弦装置７１のほうが、ウェイトレバー２１と鍵３（正確にはレバー受けスクリュー８５）との間に生じる摩擦力が大きい。このため、第３参考形態のようにウェイトレバー２１を配置すれば、ウェイトレバー２１の重さ以上に静荷重を増やすことができる。
【００５２】
［第１実施形態］
次に第１実施形態について説明する。以下、第３参考形態との相違点を中心に説明する。
【００５３】
図６は、打弦装置９１のうちウェイトレバー２１の付近を表す側面図である。図４と同一部分については、同一符号を付すことにより説明を省く。第１実施形態の打弦装置９１と第３参考形態の打弦装置７１との主な違いは、ストッパーレール１３の有無とウェイトレバー振れ防止レール９３の有無である。つまり、第１実施形態の打弦装置９１には、ストッパーレール１３が無く、代わりにウェイトレバー振れ防止レール９３が設けられている。
【００５４】
このウェイトレバー振れ防止レール９３は、ウェイトレバー２１の上部に位置し、複数の鍵３を跨ぐようにして両端をブラケット９５によってピアノ本体にビスなどで高さ調整可能に固定されている。ウェイトレバー振れ防止レール９３の断面形状は、略長方形状をしており、演奏者側と反対側（図６の左側）の下部は曲線となっている。つまり、ウェイトレバー振れ防止レール９３の下面は、演奏者側と反対側方向に進むに連れて上方に反った形状をしている。尚、ウェイトレバー振れ防止レール９３の下面全体には接触音を防止するためのフェルト９７が設けられている。
【００５５】
また、ウェイトレバー２１の演奏者側と反対側（図６の左側）の上部には、鉛からなる錘９９が設けられている。ウェイトレバー２１が回転軸１９を軸にして揺動した際に、この錘９９がウェイトレバー振れ防止レール９３に接触するようになっている。
【００５６】
次に、このように構成された打弦装置９１の動作について説明する。ウェイトレバー２１は、鍵３が演奏者によって押鍵される前はレバー受けスクリュー８５に接触しているが、鍵３が演奏者によって押鍵されると回転軸１９を軸にしてウェイトレバー振れ防止レール９３に接触するまで回転する。なお、第３参考形態の箇所で説明したように、図示しないアーム８１を操作することによってウェイトレバー２１の位置は変更することができる。ウェイトレバー２１を演奏者から遠い位置に変更させた際の様子を表したものが図７である。図７は図６と同様に打弦装置９１のウェイトレバー２１の付近を表す側面図である。図６と同一部分については、同一符号を付すことにより説明を省く。
【００５７】
ウェイトレバー２１が図６に示す位置（つまり演奏者に近い位置）にあるときは、鍵３が押鍵された際にウェイトレバー２１はウェイトレバー振れ防止レール９３の演奏者寄りの下面に接触する。一方、ウェイトレバー２１を図７に示す位置（つまり演奏者から遠い位置）に変更すると、鍵３が押鍵された際にウェイトレバー２１は演奏者から遠い位置のウェイトレバー振れ防止レール９３の下面に接触する。図６及び図７からわかるように、図７の位置にあるウェイトレバー２１は、図６の位置にあるウェイトレバー２１に比べて回転角度が大きくなる。また、図７の位置にあるウェイトレバー２１は、レバー受けスクリュー８５と接触する接触点と回転軸１９との間の距離が図６の位置にあるウェイトレバー２１に比べて短くなるため、鍵３の静荷重が増加する。このため、本実施形態の打弦装置９１によれば、図示しないアーム８１を操作してウェイトレバー２１の位置を変更することによって、その変更に応じて鍵３の静荷重が曲線的に変化する。次にこの静荷重の変化の様子を図８のグラフを用いて説明する。
【００５８】
図８は、ウェイトレバー２１の位置を位置ａ（演奏者に最も近い位置）から位置ｆ（演奏者に最も遠い位置）まで変化させた際の、鍵３の静荷重をプロットしたグラフの一例である。なお、位置ａ，位置ｂ，位置ｃ，位置ｄ，位置ｅ，位置ｆの各間は、等間隔である。図８からわかるように、ウェイトレバー２１の位置を位置ａから位置ｃまで変化させたときの静荷重の増加量は緩やかであるが、位置ｄから位置ｆへと変化させるに連れて静荷重の増加量が急になる。
【００５９】
このように位置ａ〜位置ｃの間は位置ｄ〜位置ｆの間に比べ、ウェイトレバー２１の位置変化による静荷重の変化量が小さいため、ウェイトレバー２１の位置によって静荷重の調整を細かく行うことができる。一方、位置ｄ〜位置ｆの間は、ウェイトレバー２１の位置変化によって静荷重を大きく変化させることができる。このため、ウェイトレバー２１及び錘９９の重さを適切に設定すれば、通常の演奏に適した静荷重の調整範囲については演奏者の好みによって細かく調整可能なようにし、指の訓練に使うような静荷重の調整範囲については大きく調整可能なようにすることができる。
【００６０】
以上、本発明の実施形態について説明したが、本発明は、上述した実施形態に限定されるものではなく、種々の態様を取ることができる。
例えば、第１参考形態のウェイトレバー２１の下面に溝を穿設し、接触部２５をその溝に対して手前側方向及び奥側方向に移動できるように構成してもよい。このようにしても、ウェイトレバー２１が揺動する時の作用点が調整でき、容易に鍵３の静荷重を調整できる。
【図面の簡単な説明】
【００６１】
【図１】第１参考形態のアップライトピアノの打弦装置を表す側面図である。
【図２】第１参考形態のウェイトレバーの近傍を表す斜視図である。
【図３】第２参考形態のグランドピアノの打弦装置を表す側面図である。
【図４】第３参考形態のアップライトピアノの打弦装置を表す側面図である。
【図５】第３参考形態の鍵を上方から見た図である。
【図６】第１実施形態のアップライトピアノの打弦装置を表す側面図である。
【図７】第１実施形態のアップライトピアノの打弦装置を表す側面図である。
【図８】ウェイトレバーの位置変化による静荷重の変化を表すグラフである。
【図９】従来のグランドピアノの打弦装置を表す側面図である。
【符号の説明】
【００６２】
１…打弦装置、３…鍵、５…伝達部、７…筬中、９…キャプスタンワイヤー、１１…キャプスタンボタン、１３…ストッパーレール、１５…ブラケット、１７…フレンジ、１９…回転軸、２１…ウェイトレバー、２３…フェルト、２５…接触部、２７…フェルト、２９…錘、３１…リフティングレール、３２…リフティングレバー、３３…フェルト、３４…棚板、３５…突揚棒、３７…ゴムキャップ、３９…ピン、４１…Ｌ字金具、４３…延長ロッド、４５…ローラ、４７…キャプスタンスクリュー、４９…フェルト、５１…打弦装置、７１…打弦装置、７３…レール支持部材、７５…スライドレール、７５ａ…上レール、７５ｂ…下レール、７７…フレンジ、７９…アームピン、８１…アーム、８３…取り付け部、８５…レバー受けスクリュー、８７…連結シャフト、８９…フェルト、９１…打弦装置、９３…ウェイトレバー振れ防止レール、９５…ブラケット、９７…フェルト、９９…錘。
【図１】
2005037894.tif 000003
【図２】
2005037894.tif 000004
【図３】
2005037894.tif 000005
【図４】
2005037894.tif 000006
【図５】
2005037894.tif 000007
【図６】
2005037894.tif 000008
【図７】
2005037894.tif 000009
【図８】
2005037894.tif 000010
【図９】
2005037894.tif 000011